(57)【要約】【課題】本発明は、窓１５を開けても遮光性を損なうことなく、植栽された植物１７に触れることで生成されたさわやかな空気を居室内に取り込むことができる緑化装置１１を提供することを目的とするものである。【解決手段】本発明は、緑化装置１１として、植物１７を掛止する掛止面１２と、建造物１３に取付ける取付面１４とで柱状体を構成するものである。また、この緑化装置１１の内部に植栽する植栽ベッド１６を掛止する、というものである。【選択図】図１
2006262741.tif 000002
【特許請求の範囲】
【請求項１】
植物を植栽する掛止面と、建造物に取付ける取付面とで柱状体を構成することを特徴とする緑化装置。
【請求項２】
前記掛止面の前記柱状体内側に植物を植栽することを特徴とする請求項１に記載の緑化装置。
【請求項３】
前記柱状体の水平断面形状を三角形状とすることを特徴とする請求項１または２に記載の緑化装置。
【請求項４】
前記柱状体の前記取付面の反対側に装飾部材を設けたことを特徴とする請求項１または２に記載の緑化装置。
【発明の詳細な説明】
【技術分野】
【０００１】
本発明は、住宅やオフィスビル、高速道路の遮音板などの建造物に用いる緑化装置に関するものである。
【背景技術】
【０００２】
従来、この種の技術は、隣家との境界を明らかにするブロック塀に代わる手段として金網でフェンスを形成し、このフェンスに蔓植物を絡ませるものが提案されている。
【０００３】
また、近年では地球環境の保全、特に都市部のヒートアイランド現象の抑制を目的としたものも多数、提案されている。
【０００４】
これら従来技術について、図面を用いて説明する。
【０００５】
図１５に示すものは、ブロック塀に代わるフェンス１の強度を向上させるためのものであり、金網部分を立体トラス構造としたものである（例えば、特許文献１参照）。
【０００６】
次に図１６に示すものは、パネル２を取付けたパネル支持装置３を複数積層し、蔓植物を絡ませて成長させるものである（例えば、特許文献２参照）。
【０００７】
最後に図１７に示すものは、壁面緑化体４の一端５ａを脱着可能とし、反対側の一端５ｂを軸として、開閉自在にしたものである（例えば、特許文献３参照）。
【特許文献１】特開２０００−２３０３５２号公報
【特許文献２】特開２００５−４２３３８号公報
【特許文献３】特開２００４−９２１５７号公報
【発明の開示】
【発明が解決しようとする課題】
【０００８】
しかしながら、上記従来技術は、平面状のパネル支持装置を用いて窓を覆う構成となっており、外部からのブラインド性や日射の遮光性の向上を意図するものは多数存在するものの、例えば突き出し窓や滑り出し窓、片開き窓や回転窓等のように外部に押し出して開く回転式窓の開閉性に配慮したものはない。
【０００９】
また、特許文献３には、引き違い窓の外部に、一端を脱着可能とし、反対側の一端を軸として、開閉自在にした壁面緑化体４を設けたものが記載されている。
【００１０】
この壁面緑化体４を用いれば、建造物の窓が回転式窓であっても対応することも可能かと推察するが、壁面緑化体４を開けた場合、その開口部からの遮光ができず、また、窓を開けても、植栽された植物に触れた空気を居室内へ取り込むことができないという課題があった。
【００１１】
しかも上記いずれの構成を用いても、壁面緑化を行おうとする壁面の面積に対して、同等以下の緑化面積しか得ることができないという課題を有していた。
【００１２】
本発明は、このような従来の課題を解決するものであり、窓を開けても遮光性を損なうことなく、植栽された植物に触れることで生成されたさわやかな空気を居室内に取り込むことができる緑化装置を提供することを目的とするものである。
【００１３】
さらに、本発明は、緑化装置を取付ける壁面面積よりも大きな面積の緑化を行うことで、緑化面積に対応して拡大する建ぺい率をより増大することを目的とするものである。
【課題を解決するための手段】
【００１４】
本発明は、上記目的を達成するために、植物を掛止する掛止面と、建造物に取付ける取付面とで柱状体を構成するものである。
【００１５】
本構成とすることにより、回転式窓のように建造物外部側に回転しろを必要とする窓を用いた建造物であっても、日射の遮光性を確保したまま、窓を開けることができる。
【発明の効果】
【００１６】
本発明によれば、窓の開閉方式を問うことなく、日射の遮光を保ったまま窓を開けることで外気を導入することができる。
【００１７】
しかも、窓の開口部近傍に植栽された植物の間を通ってくるさわやかな空気を居室内に取り込むことができるので、居室内におけるリフレッシュ効果も期待することができる。
【発明を実施するための最良の形態】
【００１８】
本発明の実施の形態は、植物を掛止する掛止面と、建造物に取付ける取付面とで柱状体の緑化装置を構成したものである。
【００１９】
本構成とすることにより、壁面緑化による日射の調光（遮光や採光）を実現しながら、建造物に設けられた窓の開閉方式に係わらず、窓を開けることができる。
【００２０】
その結果、植栽した植物に触れたさわやかな空気を居室内へ導くことができる。
【００２１】
また、掛止面の柱状体内側に植物を植栽することで、居室から植栽した植物の手入れを行うことも可能となり、植物の手入れが容易にできるようになる。しかも、事故などで植栽ベッドが落下することがあったとしても、緑化装置内に落下することとなり、通行人へ植栽ベッドが当たるなどの２次的事故を防止することができる。
【００２２】
また、柱状体の水平断面形状を三角形状とすることで、壁面緑化することが可能な面積を増加することができる。
【００２３】
すなわち、壁面緑化を施す建造物の壁面に、例えば直角二等辺三角形の緑化装置を配設した場合、蔦などの蔓植物を絡ませることができる面積は約１．４倍となり、限られた空間をより有効に活用することができる。
【００２４】
しかも、柱状体の水平断面形状を三角形状とした場合、太陽が東から西へ移動することにより生じる各緑化装置の影が、建造物へ落とす割合を少なくできる。
【００２５】
次に、柱状体の取付面の反対側に装飾部材を設けることで、緑化装置の装飾性を向上することができる。
【００２６】
その結果、取付ける建造物の雰囲気に適した装飾を施すことで、より建造物の美観性を高めることができる。
【実施例】
【００２７】
以下、本発明の実施例について図面を参照しながら説明する。
【００２８】
（実施例１）
図１に、建造物に対して本発明の緑化装置を用いた場合の概観図を、また図２に、その要部断面図を示す。
【００２９】
図に示すように、１１は緑化装置であり、植物を掛止する掛止面１２と建造物１３に相対する取付面１４から成り立っている。
【００３０】
これら緑化装置１１は、図１中の要部拡大図や図２に示すように、建造物１３に設けた各窓１５を覆うように配置されている。
【００３１】
本実施例１で使用する緑化装置１１は、縦部材１２ａ、横部材１２ｂからなる格子で掛止面１２を構成したものであり、掛止面１２と取付面１４とで構成した柱状体の緑化装置１１内部に植栽した植栽ベッド１６を配置している。
【００３２】
このように、窓１５の前に植栽した植栽ベッド１６を配することで、建造物１３に設けた居室（図示せず）内への日射を調光することができる。
【００３３】
また、本構成とすることで、植栽ベッド１６と建造物１３の外壁面１３ａ、および窓１５と掛止面１２で形成した開放空間１１ａを得ることができるので、本実施例１で示したような回転窓１５ａを採用した建造物１３であっても、回転窓１５ａを全開することが可能となる。
【００３４】
しかも、植栽ベッド１６に植栽した植物１７に触れた空気は、図２中矢印１８ａから１８ｃで示す流れとなって居室内へと導かれる。その結果、緑が少ない都会にあっても、植物１７が生成したさわやかな空気を得ることができ、そのさわやかな空気によるリフレッシュ効果を期待することができる。
【００３５】
さらに、窓１５を全開することができるため、居室から植栽した植物の手入れを行うことも可能となり、植物１７の手入れが容易にできるので、例えば、遮光性を向上させたい場合には、植物１７を増やしたり、逆に、植物１７を間引くことで、採光性を向上するなど、細かな調光が可能となる。
【００３６】
また、より高い遮光性を要求される場合には、図３に示すように、植栽ベッド１６に植栽する植物を蔦などの蔓植物１７ａとし、この蔓植物１７ａを掛止面１２に絡ませるとよい。
【００３７】
この場合、蔓植物１７ａが生長して生い茂ることにより、居室に対する遮光性が向上する。
【００３８】
しかも、本実施例１のように、緑化装置１１の水平断面形状を三角形状とすることで、建造物１３に緑化装置１１を取付ける面積より大きな面積を緑化することができる。
【００３９】
その一例として、水平断面形状を直角二等辺三角形とした場合、緑化装置１１を建造物１３に取付ける取付面１４の面積１に対して、蔦などの蔓植物１７ａを絡ませることができる面積は約１．４となり、限られた空間をより有効に活用することができる。
【００４０】
なお、水平断面形状を三角形状とすると、太陽が東から西へ移動することにより生じる各緑化装置１１の影が、建造物１３へ落とす割合を少なくできる。
【００４１】
特に、全面ガラス張りのオフィスビルなどに本緑化装置１１を設け、隣接する緑化装置１１間の距離をとった場合、緑化装置を配していないガラス面に対する採光性を確保することができる。
【００４２】
その結果、緑化面積に対応して拡大できる建ぺい率を上げることができ、ヒートアイランド現象の抑制にも役立てることができる。
【００４３】
しかも、採光が必要な箇所に対する採光性を確保することもできる。
【００４４】
特に、植栽ベッド１６を緑化装置１１の内部に設けることで、万一、何らかの要因により、植栽ベッド１６が落下するような事故が発生しても、この緑化装置１１の外部に植栽ベッド１６が落下することがないので、通行人に怪我をさせることがないという効果を奏することができる。
【００４５】
なお、他の実施例を図４、図５を用いて説明する。
【００４６】
図４には窓１５に片開き窓１５ｂを用いた場合の実施例を、図５には、緑化装置１９を構成する掛止面２０を曲面にした場合の実施例を示している。
【００４７】
図４からは、本発明の緑化装置１１であれば、回転式の窓１５の形状を問わないことが明らかである。
【００４８】
また図５からは、掛止面２０の形状を変更することで、緑化装置１９を建造物１３に取付ける際に必要となる取付面２１の幅Ｗを抑制したり、植栽ベッド２２の面積を大きくすることができることは明らかである。
【００４９】
なお、図５における取付面２１は、緑化装置１９の掛止面２０の端部どうしを接続して、緑化装置１９の強度を向上させるために設けた補助部材１２ｃを含む面で成り立っているが、掛止面２０の端部を含み、緑化装置１９が建造物１３と対向する面であれば、補助部材１２ｃの有無は特に問わない。
【００５０】
さらに、従来の技術で対応していた、引き違い窓（図示せず）についても適用できることはいうまでもない。
【００５１】
すなわち、これらの実施例から明らかなように、緑化装置１１，１９を柱状体とすることで、建造物１３の外部に向かって開閉するさまざまな形態の窓１５を用いても、取付けられた窓１５を全開することができ、植物１７，１７ａに触れたさわやかな空気を居室内へ取り込むことができる。
【００５２】
しかも、掛止面１２，２０の形状を変更することで、植栽ベッド１６，２２の植栽面積を調整したり、掛止面１２，２０の面積そのものを増加させて、例えば蔓植物１７ａが絡まる緑化面積を増加することも可能である。
【００５３】
（実施例２）
次に、図６を用いて、実施例２を説明する。
この実施例２は、実施例１とは異なり、植物３０を植栽するポット３１を掛止面３２の外部に設けたものである。
【００５４】
本構成は、開閉空間１１ｂを回転窓１５ａが開閉するために必要な最小限のスペースとすることで、緑化装置３３の外部への突き出しを抑制することができるというものである。
【００５５】
なお、本構成を用いても、実施例１と同様、ポット３１に植栽した植物３０に触れたさわやかな空気を居室内へ取り込むことができるので、リフレッシュ効果を得ることができる。
【００５６】
当然のことながら、植栽する植物は実施例１で説明した蔓植物１７ａを用いてもよい。
【００５７】
（実施例３）
次に、図７を用いて、実施例３を説明する。
【００５８】
本実施例は、緑化装置４０の外部側先端部に、装飾部材４１を設けたものである。
【００５９】
すなわち、緑化装置４０の先端部に美観性を向上するための装飾部材４１として、断面形状が凸状の部材を設けたものである。
【００６０】
この装飾部材４１を設けることにより、遠目から建造物１３を眺めた場合に、図８に示すように、建造物１３の縦方向にストライプを施したようになり、建造物１３に引き締まった感じを抱かせることが可能となる。
【００６１】
なお、上記実施例１から３で説明した各構成要素は、本発明の意図する一部の実施例であり、同様の効果を得る形態であれば、その形状は問わない。
【００６２】
特に、美観向上という観点で考えた場合、建造物が持つ雰囲気や、施主の意向により、様々に発展した形態が考えられる。
【００６３】
（実施例４）
次に、図９から１０を用いて、本発明に用いる植栽ベッドについて説明する。
【００６４】
図９は、植栽ベッド１６の三面図であり、植栽ベッド本体１６ａと導水管１６ｂとの関係を分かりやすく示した図である。
【００６５】
すなわち、図９に示すごとく、植栽ベッド１６には植栽ベッド本体１６ａの底面に導水管１６ｂが設けてある。
【００６６】
この植栽ベッド１６を図１０に示すように、緑化装置１１に掛止する。
【００６７】
各植栽ベッド１６には、建造物（図示せず）から延出した給水管４５を設けてあり、この給水管４５の先端に設けた散水管４６から各植栽ベッドへと水分が与えられる。
【００６８】
従って、屋外に設置しても植物（図示せず）の生長に必要な水分は供給されるため、植物が枯れることはない。
【００６９】
また、雨が降り、必要以上の水（雨）が植栽ベッド１６に入り込んだ場合でも、植栽ベッド１６底部に設けた導水管１６ｂから不要な水分を排出することができるため、水分過多による植物の根腐れの心配もない。
【００７０】
なお本構成は、特に本発明の実施例１の形態、すなわち、緑化装置１１内部に植栽ベッド１６を配設する形態に適するものであり、植栽ベッド１６の排水時に、緑化装置１１から外部に水分が飛散することを抑制する効果が期待できる。
【００７１】
また、図１１に示すように、導水管１６ｃの本数を増やすことで、植栽ベッド１６各所より排水することが可能となり、効率よく排水することが可能となる。
【００７２】
（実施例５）
次に、図１２から図１４を用いて、掛止面１２の実施例について説明する。
【００７３】
図１２は、実施例１などの説明に用いた格子状の掛止面１２である。
【００７４】
本形状の特徴としては、風を通す面積が多く、また、日射を通す面積も大きいことから、居室へ導入する風の風量や、日射量の変化幅を大きく調整可能なところである。
【００７５】
また、各縦部材１２ａと横部材１２ｂの接合強度を強めることで、火災などの災害発生時に、窓１５からの避難経路として活用することも期待できる。
【００７６】
次に、図１３には、目の細かな網目上の掛止面５０が記載してある。
【００７７】
本形状の特徴としては、植栽ベッド１６やポット３１の取付け位置を細かく調整することができる、というものである。
【００７８】
また、蔦などの蔓植物を絡ませた場合、図１２に示したものよりも目が細かいため、遮光性に優れた調光が可能となる。
【００７９】
また、図１４には、パンチングメタルを用いたものが記載してある。
【００８０】
本形状の特徴としては、掛止面５１全体の強度を向上することで、緑化装置を構成する柱となる部材の使用量を低減し、簡易な構成で緑化装置を実現することを期待するものである。
【００８１】
なお、上記各実施例で説明した柱状体からなる緑化装置は、水平方向の断面積が同一である必要はなく、三角錐などのように全体として傾斜を持つものでもよい。
【産業上の利用可能性】
【００８２】
本発明は、住宅やオフィスビル、高速道路の遮音板などの建造物に対する壁面緑化に利用することができる。
【図面の簡単な説明】
【００８３】
【図１】本発明の一実施例における緑化装置を設けた建造物の概観図
【図２】本発明の一実施例における緑化装置を設けた建造物の要部断面図
【図３】本発明の一実施例における緑化装置を設けた建造物の要部断面図
【図４】本発明の他の実施例における緑化装置を設けた建造物の要部断面図
【図５】本発明の他の実施例における緑化装置を設けた建造物の上面図
【図６】本発明の他の実施例における緑化装置を設けた建造物の要部断面図
【図７】本発明の他の実施例における緑化装置を設けた建造物の要部断面図
【図８】本発明の他の実施例における緑化装置を設けた建造物の正面図
【図９】本発明の一実施例における植栽ベッドの三面図
【図１０】本発明の一実施例における植栽ベッドに対する給水状態を表す説明図
【図１１】本発明の他の実施例における植栽ベッドの三面図
【図１２】本発明の一実施例における緑化装置の掛止面の正面図
【図１３】本発明の他の実施例における緑化装置の掛止面の正面図
【図１４】本発明の他の実施例における緑化装置の掛止面の正面図
【図１５】従来のフェンスを説明する断面図
【図１６】従来の壁面緑化体を説明する詳細図
【図１７】従来のパネル支持装置の組立を説明する斜視図
【符号の説明】
【００８４】
１１、１９、３３、４０    緑化装置
１２、２０、３２、５０、５１    掛止面
１３    建造物
１４、２１    取付面
１７、１７ａ    植物
４１    装飾部材
【図１】
2006262741.tif 000003
【図２】
2006262741.tif 000004
【図３】
2006262741.tif 000005
【図４】
2006262741.tif 000006
【図５】
2006262741.tif 000007
【図６】
2006262741.tif 000008
【図７】
2006262741.tif 000009
【図８】
2006262741.tif 000010
【図９】
2006262741.tif 000011
【図１０】
2006262741.tif 000012
【図１１】
2006262741.tif 000013
【図１２】
2006262741.tif 000014
【図１３】
2006262741.tif 000015
【図１４】
2006262741.tif 000016
【図１５】
2006262741.tif 000017
【図１６】
2006262741.tif 000018
【図１７】
2006262741.tif 000019